(57)【要約】      （修正有）【課題】キーボードの発光輝度を増加し、且つ異なる色彩に基づいて異なるキー機能に分類することができる強化型導光式発光キーボードを提供する。【解決手段】強化型導光式発光キーボードは、複数のキー装置１０と複数の穿通孔１２０を備えた底板１２を利用し、ユーザの押圧で制御信号を電子装置に対して発生し、底板１２の背面に導光板１４を設け、導光板１４上に少なくとも１つの独立した光路を形成する透孔１４０を定義し、且つ導光板１４の一側辺に発光部材１８を設置し、発光部材１８が光源を発生するとき、前記光源が導光板１４により底板１２上の穿通孔１２０に反射され、穿通孔１２０から光源を射出し、キー装置１０に発光部材１８の発生する光源に基づき異なる視覚的効果を表示させる。【選択図】図２
0003147749.tif 000002
【実用新案登録請求の範囲】
【請求項１】
複数のキー装置及び複数の穿通孔を備えた底板を利用し、ユーザの押圧で電子装置に制御信号を発生する強化型導光式発光キーボードであって、導光板と、反射片を含み、前記導光板が前記底板に前記キー装置端を背にして設置され、且つ前記導光板に少なくとも１つの独立した光路を形成する透孔が形成され、前記反射片が前記導光板の底端に設置されたことを特徴とする、強化型導光式発光キーボード。
【請求項２】
前記導光板の両側辺にそれぞれ発光部材が設置され、且つ、前記導光板は光源が最良の反射率を達する角度を呈することを特徴とする、請求項１に記載の強化型導光式発光キーボード。
【請求項３】
前記導光板の一面に粗面を形成したことを特徴とする、請求項１に記載の強化型導光式発光キーボード。
【請求項４】
前記発光部材が発光ダイオード（ＬＥＤ）であることを特徴とする、請求項１に記載の強化型導光式発光キーボード。
【請求項５】
複数のキー装置及び複数の穿通孔を備えた底板を利用し、ユーザの押圧で電子装置に制御信号を発生する強化型導光式発光キーボードであって、導光板と、少なくとも１つの導光部と、反射片を含み、前記導光板が前記底板に前記キー装置端を背にして設置され、且つ前記導光板に少なくとも１つの独立した光路を形成する透孔が形成され、前記導光部が前記底板上に設けられ、且つ前記透孔の間に位置し、前記反射片が前記導光板の底端に設置されたことを特徴とする、強化型導光式発光キーボード。
【請求項６】
前記導光板の両側辺にそれぞれ発光部材が設置され、且つ、前記導光板は光源が最良の反射率を達する角度を呈することを特徴とする、請求項５に記載の強化型導光式発光キーボード。
【請求項７】
前記導光板の一面に粗面を形成したことを特徴とする、請求項５に記載の強化型導光式発光キーボード。
【請求項８】
前記導光部がＶ字形様態、Ｕ字形様態または半弧形様態のいずれかであることを特徴とする、請求項５に記載の強化型導光式発光キーボード。
【請求項９】
前記発光部材が発光ダイオード（ＬＥＤ）であることを特徴とする、請求項５に記載の強化型導光式発光キーボード。
【考案の詳細な説明】
【技術分野】
【０００１】
本考案は発光キーボードに関し、特に、キーボードの発光輝度を増加し、且つ異なる色彩に基づいて異なるキー機能の分類が可能な、強化型導光式発光キーボードに関する。
【背景技術】
【０００２】
情報工業技術の発展に伴い、パーソナルコンピュータはすでに多くの想像さえつかなかった機能を完成できるようになり、ユーザがコンピュータに対して行う制御動作を満たし、さらには簡略化することができるようになり、多くのコマンド入力装置が作られ、そのうちコンピュータキーボードは中でも最も長く応用され、機能が最強で代替が困難な入力装置である。
【０００３】
コンピュータキーボードを外界光源が不足する薄暗い中または外界光源がない暗闇の中でも有効に識別及び使用できるようにするため、コンピュータキーボード本体上に内部光源を設置する方法を用いることができるが、現今の形式とは一線を画し、且つコンピュータキーボードにより適した内部光源発生装置が提供されており、現在の光源を備えたコンピュータキーボードは皆その内部に導光板が設けられ、且つ導光板に対して光源を反射させる異なる設計が施されており、現在最もよく見受けられるのが導光板上に粗面、凹点または網点エリアを設けたものであり、その目的は皆光源の反射率を高め、コンピュータキーボードをより明るくすることにある。
【０００４】
しかしながら、上述の光源を備えたコンピュータキーボードは使用時に次のような問題と欠点が確実に存し、改善が待たれている。
一、上述の光源反射方式は皆光源の進路を変化させる効果を有するが、光源が反射されて射出される際、集光効果がないため、射出される光源が散開した状態となる。
二、上述の導光板は全体が板体を主としているため、製作時効果的にそのコストを抑えることができず、また全体の重量を軽量化することができない。
三、導光板面上の光反射エリアが皆材質または反射面積が小さい形態から成るため、輝度を上げるためにはより多くの発光部材（ＬＥＤ）を使用する必要がある。
【０００５】
このため、上述の従来品の問題と欠点をいかに解決するかが本考案の考案者と関連産業に従事する企業が改善を研究している方向性である。
【考案の開示】
【考案が解決しようとする課題】
【０００６】
本考案の考案者は上述の欠点に鑑みて、関連資料を収集し、多方面の評価と考慮を経て、且つ関連産業に従事した長年の経験に基づき、試作と修正を重ね、ついにこのキーボードの発光輝度を増加でき、且つ異なる色彩に基づいて異なるキー機能を分類することができる強化型導光式発光キーボードの実用新案の設計に至ったものである。
【０００７】
本考案の主な目的は、複数のキー装置及び複数の穿通孔を備えた底板を利用し、ユーザが押圧すると電子装置に対して制御信号を発生し、前記底板の背面に導光板を設け、前記導光板上に少なくとも１つの独立した光路を形成する透孔を形成し、且つ前記導光板の一側辺に発光ダイオード（ＬＥＤ）などの発光部材が設置され、発光部材が光源を発生するとき、前記光源が導光板により底板上の穿通孔に反射され、前記穿通孔から光源を射出させ、キー装置に発光部材の発生する光源に基づいて異なる視覚的効果を表現させることができる、強化型導光式発光キーボードを提供することにある。
【０００８】
本考案の別の目的は、上述の導光板のキー発光箇所でないところをくり抜いて独立した光路が形成され、これにより製作時効果的にコストを抑えることができ、且つ全体の重量を軽量化することができる、強化型導光式発光キーボードを提供することにある。
【０００９】
本考案のさらに別の目的は、導光板と発光部材（ＬＥＤ）の組み合わせによりキーボードの異なる機能表示区域に異なる色の光源を発生させることができる、強化型導光式発光キーボードを提供することにある。
【課題を解決するための手段】
【００１０】
本考案の強化型導光式発光キーボードは、複数のキー装置と複数の穿通孔を備えた底板を利用し、ユーザの押圧で制御信号を電子装置に対して発生し、前記底板の背面に導光板を設け、導光板上に少なくとも１つの独立した光路を形成する透孔を形成し、且つ前記導光板の一側辺に発光部材を設置し、発光部材が光源を発生するとき、前記光源が導光板により底板上の穿通孔に反射され、前記穿通孔から光源を射出し、キー装置に発光部材の発生する光源に基づき異なる視覚的効果を表示させる。
【考案の効果】
【００１１】
全部の図に示すように、本考案の使用時には、従来技術と比較して、次のような利点が確実に存在する。
一、発光部材１８が光源を発生するとき、前記光源が導光板１４により底板１２上の穿通孔１２０に反射され、前記穿通孔１２０から光源が射出され、キー装置１０に発光部材１８の発生する光源に基づき異なる視覚的効果を表現させることができる。
二、上述の導光板１４はキー発光箇所でないところをくり抜いて独立した光路が形成されるため、製作時効果的にコストを抑えることができ、且つ全体の重量を軽量化できる。
三、上述のように、導光板１４面上に形成された導光部１４４は相互に平行であり、且つ導光部１４４（例：Ｖ字形様態、Ｕ字形様態または半弧形様態）はキーボードに表示される光源を集合させた状態にするため、集光効果を高めることができる。
四、導光板１４面上の導光部１４４（例：Ｖ字形様態、Ｕ字形様態或半弧形様態）は効果的に集光することができるため、発光部材１８（ＬＥＤ）の使用量を節約することができる。
五、導光板１４と発光部材１８（ＬＥＤ）の組み合わせによりキーボードの異なる機能表示区域に異なる色の光源を発生させることができる。
【考案を実施するための最良の形態】
【００１２】
上述の目的及び効果を達するため、本考案が採用する技術手段及び構造について、以下、本考案の最良の実施例と図面に基づき詳細にその特徴と機能を説明する。
【００１３】
図１及び図２に本考案の最良の実施例の立体図及び立体分解図をそれぞれ示す。これらの図からはっきりと分かるように、本考案の強化型導光式発光キーボード１は、複数のキー装置１０及び複数の穿通孔１２０を備えた底板１２を利用し、ユーザの押圧で電子装置（図示しない）に対して制御信号を発生し、前記底板１２の背面に導光板１４が設置され、前記導光板１４の底端に反射片１６が設置され、導光板１４面上に少なくとも１つの独立した光路を形成する透孔１４０が形成され、且つ前記導光板１４両側辺にそれぞれ発光ダイオード（ＬＥＤ）などの発光部材１８が設置され、且つ、前記導光板１４は光源が最良の反射率に達する角度を呈し、発光部材１８が光源を発生するとき、前記光源が導光板１４により底板１２上の穿通孔１２０に反射され、前記穿通孔１２０から光源が射出されてキー装置１０に発光部材１８の発生する光源に基づき異なる視覚的効果を表示させる。
【００１４】
上述の構造、組み立て設計に基づき、本考案の使用時の作動状況について以下で説明する。同時に図３及び図３Ａに本考案の導光板の立体図及び導光板の部分拡大図を示す。これらの図からはっきりと分かるように、そのうち前記導光板１４上には少なくとも１つの独立した光路を形成する透孔１４０が形成され、且つ、前記導光板１４両側辺に発光ダイオード（ＬＥＤ）などの発光部材１８がそれぞれ設置され、導光板１４の一面は粗面１４２を呈し、前記粗面１４２は光を散射させて光の進路を変化させる。このため、導光板１４の一側辺にある発光部材１８が発生する光源は、導光板１４の表面で反射され、導光板１４と貼り合わせられた底板１２は、底板１２上に複数の穿通孔１２０が設けられているため、これらの反射された光源が前記穿通孔１２０を通過して射出され、強化型導光式発光キーボード１にそれら異なる色の光に基づき機能的分類を行うことができる。
【００１５】
図４及び図４Bに本考案の別の導光板の立体図及び部分拡大図を示す。これらの図からはっきりと分かるように、そのうち前記導光板１４ａ上には複数本の相互に平行な導光部１４４（例：Ｖ字形様態、Ｕ字形様態または半弧形様態など）が形成され、且つ導光板１４ａ面上のキー発光箇所でないところをくり抜き透孔１４０ａが形成され、導光板１４ａに独立した光路が形成される。前記導光部１４４の断面はＶ字形様態を例としており、且つ前記導光部１４４は二側辺にそれぞれ発光ダイオード（ＬＥＤ）などの発光部材１８ａが設置され、導光板１４ａの前記導光部１４４を背にした一面が粗面１４２ａを呈し、前記粗面１４２ａは光に散射を発生させて光の進路を変化させ、これにより導光部１４４二側辺にある発光部材１８ａの発生する光源は、導光部１４４の表面で反射され、導光板１４ａに貼り合わせられた底板１２ａは、底板１２ａ上に複数の穿通孔１２０ａを有するため、これら反射された光源が前記穿通孔１２０ａを通過して射出され、強化型導光式発光キーボード１ａに異なる色の光に基づき機能的分類を行うことができる。
【００１６】
以上の説明は本考案の最良の実施例に基づくものであり、本考案の特許範囲を制限するものではなく、本考案の明細書及び図面の内容を運用した簡易な修飾及び同等効果を有する構造の変化はすべて本考案の特許範囲内に含まれるものとする。
【００１７】
上述をまとめると、本考案の強化型導光式発光キーボードは使用時に確実にその効果と目的を達することができるため、本考案は実用性に優れた創作であり、実用新案登録の出願要件を満たしているため、法に基づきここに出願を提出するものである。
【図面の簡単な説明】
【００１８】
【図１】本考案の最良の実施例の立体図である。
【図２】本考案の最良の実施例の立体分解図である。
【図３】本考案の導光板の立体図である。
【図３Ａ】本考案の導光板の部分拡大図である。
【図４】本考案の別の導光板の立体図である。
【図４Ｂ】本考案の別の導光板の部分拡大図である。
【符号の説明】
【００１９】
１、１ａ    強化型導光式発光キーボード
１０      キー装置
１２、１２ａ    底板
１２０、１２０ａ    穿通孔
１４、１４ａ    導光板
１４０、１４０ａ    透孔
１４２、１４２ａ    粗面
１４４    導光部
１６      反射片
１８、１８ａ    発光部材
【図１】
0003147749.tif 000003
【図２】
0003147749.tif 000004
【図３】
0003147749.tif 000005
【図３Ａ】
0003147749.tif 000006
【図４】
0003147749.tif 000007
【図４Ｂ】
0003147749.tif 000008